(57)【要約】【課題】ガイド層分離型の光ディスクを対象とする情報記録再生装置における色収差を低減する。【解決手段】情報記録再生装置（１）は、第２光源（３１）と対物レンズ（４４）との間の第２光ビーム（ＬＢ２）の光路上に配置され、該第２光ビームの光軸方向の集光位置を調整可能な調整手段（３６）を備える。情報記録再生装置の制御手段（５２、５４）は、第１光源（１１）に係る光パワーが変更される際に、該第１光源の温度変化に伴う光ディスク（１０）の一の記録層（１２）上における記録再生用の第１光ビーム（ＬＢ１）のスポットの変化が抑制されるように、対物レンズの光軸方向の位置を制御すると共に、該対物レンズの光軸方向の位置が制御されることに起因する光ディスクのガイド層（１１）上におけるトラッキング用の第２光ビームのスポットの変化が抑制されるように調整手段を制御する。【選択図】図３
2015011727.tif 000002
【特許請求の範囲】
【請求項１】
ガイドトラックが形成されたガイド層と、前記ガイド層の上に積層された複数の記録層とを有する光ディスクに情報を記録し、又は記録された情報を再生する情報記録再生装置であって、
記録再生用の第１光ビームを出射する第１光源と、
トラッキング用の第２光ビームを出射する第２光源と、
対物レンズと、
前記第２光源と前記対物レンズとの間の前記第２光ビームの光路上に配置され、前記第２光ビームの光軸方向の集光位置を調整可能な調整手段と、
前記第１光源に係る光パワーが変更される際に、前記第１光源の温度変化に伴う前記複数の記録層のうち一の記録層上における前記第１光ビームのスポットの変化が抑制されるように前記対物レンズの前記光軸方向の位置を制御すると共に、前記対物レンズの前記光軸方向の位置が制御されることに起因する前記ガイド層上における前記第２光ビームのスポットの変化が抑制されるように前記調整手段を制御する制御手段と、
を備えることを特徴とする情報記録再生装置。
【請求項２】
前記制御手段は、前記第１光源に係る光パワーが変更される前から、前記第１光源の温度変化に伴う前記対物レンズの前記光軸方向の位置の変化量を推定して、前記推定された変化量に起因する前記ガイド層上における前記第２光ビームのスポットの変化が抑制されるように前記調整手段を制御することを特徴とする請求項１に記載の情報記録再生装置。
【請求項３】
前記調整手段は、倍率変換素子であり、
前記制御手段は、前記第１光源に係る光パワーの変更と同期して、前記第１光源の温度変化に伴う前記対物レンズの前記光軸方向の位置の変化量に起因する前記ガイド層上における前記第２光ビームのスポットの変化が抑制されるように前記調整手段に係る倍率を変更する
ことを特徴とする請求項１に記載の情報記録再生装置。
【請求項４】
前記調整手段は、倍率変換素子であり、
前記制御手段は、前記第１光源に係る光パワーが変更される前から、前記第１光源の温度変化に伴う前記対物レンズの前記光軸方向の位置の変化量を推定して、前記推定された変化量に起因する前記ガイド層上における前記第２光ビームのスポットの変化が抑制されるように前記調整手段に係る倍率を徐々に変更する
ことを特徴とする請求項１に記載の情報記録再生装置。
【請求項５】
ガイドトラックが形成されたガイド層と、前記ガイド層の上に積層された複数の記録層とを有する光ディスクに情報を記録し、又は記録された情報を再生する情報記録再生装置であって、記録再生用の第１光ビームを出射する第１光源と、トラッキング用の第２光ビームを出射する第２光源と、対物レンズと、前記第２光源と前記対物レンズとの間の前記第２光ビームの光路上に配置され、前記第２光ビームの光軸方向の集光位置を調整可能な調整手段と、を備える情報記録再生装置における情報記録再生方法であって、
前記第１光源に係る光パワーが変更される際に、前記第１光源の温度変化に伴う前記複数の記録層のうち一の記録層上における前記第１光ビームのスポットの変化が抑制されるように前記対物レンズの前記光軸方向の位置を制御すると共に、前記対物レンズの前記光軸方向の位置が制御されることに起因する前記ガイド層上における前記第２光ビームのスポットの変化が抑制されるように前記調整手段を制御する制御工程を備える
ことを特徴とする情報記録再生方法。
【発明の詳細な説明】
【技術分野】
【０００１】
本発明は、例えば１つのガイド層と、該ガイド層の上に積層された複数の記録層とを有する多層光ディスクに情報を記録する、又は記録された情報を再生する情報記録再生装置及び方法の技術分野に関する。
【背景技術】
【０００２】
この種の装置として、例えば、複数の記録層と、該複数の記録層に夫々対応する複数のガイドトラック層とを有する光ディスクに情報を記録又は再生する装置が提案されている。ここでは特に、任意のガイドトラック層に第１の光ビームを集光する際に、対物レンズによって発生する収差とコリメータレンズによって発生する収差とを相殺するように該コリメータレンズを移動させると共に、該コリメータレンズの移動位置を制御して、第２の光ビームを第１の光ビームが集光するガイドトラック層と対応する記録層に集光させることが開示されている（特許文献１参照）。
【０００３】
或いは、再生モードから記録モードに転換する前に、光源の出力光パワーが再生光パワーから記録光パワーに変わる時に発生する波長変化に起因する色収差によるデフォーカスを減らす方向に対物レンズにフォーカスオフセットを適用する装置が提案されている（特許文献２参照）。
【０００４】
或いは、ガイド層分離型の光ディスクの記録層における記録済みの領域に続く追記開始位置を検出し、追加記録開始時に追記開始位置から未記録領域側に離れた位置に対向するガイドトラック上の位置にサーボ用の第１レーザビームの照射スポットを移動させることにより記録又は再生用の第２レーザビームの記録層への照射スポットを追従移動させ、その移動後の第２レーザビームの照射スポット位置から記録層への追加記録を開始する装置が提案されている（特許文献３参照）。
【先行技術文献】
【特許文献】
【０００５】
【特許文献１】特許４０３７０３４号
【特許文献２】特表２００９−５４０４８５号公報
【特許文献３】特開２０１０−０４００９３号公報
【発明の概要】
【発明が解決しようとする課題】
【０００６】
上記特許文献２にも記載されているように、光源の出力光パワーが再生光パワーから記録光パワーに切り換わる際に、光源の温度の上昇に伴い光の波長が長波長側に変化することに起因して色収差が発生する。
【０００７】
上記特許文献２では、光源が一つであるため色収差を比較的容易に低減することができる。しかしながら、上記特許文献１及び３に記載された、ガイド層用の光源（即ち、トラッキングサーボ用の光源）と記録層用の光源（即ち、記録再生用の光源）とを備える装置では、記録層用の光源に係る色収差を低減するために、上記特許文献２に記載の技術のように対物レンズにフォーカスオフセットを適用してしまうと、ガイド層用の光源から出力された光ビームのガイド層上におけるスポットがデフォーカスしてしまうという技術的問題点が生じる。
【０００８】
本発明は、例えば上記問題点に鑑みてなされたものであり、２つの光源を備え、ガイド層分離型の光ディスクに情報を記録又は記録された情報を再生する情報記録再生装置における色収差を低減することができる情報記録再生装置及び方法を提供することを課題とする。
【課題を解決するための手段】
【０００９】
請求項１に記載の情報記録再生装置は、上記課題を解決するために、ガイドトラックが形成されたガイド層と、前記ガイド層の上に積層された複数の記録層とを有する光ディスクに情報を記録し、又は記録された情報を再生する情報記録再生装置であって、記録再生用の第１光ビームを出射する第１光源と、トラッキング用の第２光ビームを出射する第２光源と、対物レンズと、前記第２光源と前記対物レンズとの間の前記第２光ビームの光路上に配置され、前記第２光ビームの光軸方向の集光位置を調整可能な調整手段と、前記第１光源に係る光パワーが変更される際に、前記第１光源の温度変化に伴う前記複数の記録層のうち一の記録層上における前記第１光ビームのスポットの変化が抑制されるように前記対物レンズの前記光軸方向の位置を制御すると共に、前記対物レンズの前記光軸方向の位置が制御されることに起因する前記ガイド層上における前記第２光ビームのスポットの変化が抑制されるように前記調整手段を制御する制御手段と、を備える。
【００１０】
請求項５に記載の情報記録再生方法は、上記課題を解決するために、ガイドトラックが形成されたガイド層と、前記ガイド層の上に積層された複数の記録層とを有する光ディスクに情報を記録し、又は記録された情報を再生する情報記録再生装置であって、記録再生用の第１光ビームを出射する第１光源と、トラッキング用の第２光ビームを出射する第２光源と、対物レンズと、前記第２光源と前記対物レンズとの間の前記第２光ビームの光路上に配置され、前記第２光ビームの光軸方向の集光位置を調整可能な調整手段と、を備える情報記録再生装置における情報記録再生方法であって、前記第１光源に係る光パワーが変更される際に、前記第１光源の温度変化に伴う前記複数の記録層のうち一の記録層上における前記第１光ビームのスポットの変化が抑制されるように前記対物レンズの前記光軸方向の位置を制御すると共に、前記対物レンズの前記光軸方向の位置が制御されることに起因する前記ガイド層上における前記第２光ビームのスポットの変化が抑制されるように前記調整手段を制御する制御工程を備える。
【００１１】
本発明の作用及び他の利得は次に説明する実施するための形態から明らかにされる。
【図面の簡単な説明】
【００１２】
【図１】第１実施例に係る光学ドライブ装置の構成を示すブロック図である。
【図２】第１実施例に係る記録開始動作時におけるビームスポット位置の変化を示す概念図である。
【図３】第１実施例に係る記録開始動作の概念を示す概念図である。
【図４】第１実施例に係る記録開始動作を示すフローチャートである。
【図５】第２実施例に係る記録開始動作の概念を示す概念図である。
【発明を実施するための形態】
【００１３】
本発明の情報記録再生装置及び方法に係る実施形態について説明する。
【００１４】
（情報記録再生装置）
実施形態に係る情報記録再生装置は、ガイドトラックが形成されたガイド層と、前記ガイド層の上に積層された複数の記録層とを有する光ディスク（所謂ガイド層分離型の光ディスク）に情報を記録し、又は記録された情報を再生する情報記録再生装置である。
【００１５】
情報記録再生装置は、第１光源、第２光源、対物レンズ、調整手段及び制御手段を備えて構成されている。
【００１６】
例えば青色レーザダイオード等である第１光源は、記録再生用の第１光ビームを出射する。例えば赤色レーザダイオード等である第２光源は、トラッキング用の第２光ビームを出射する。
【００１７】
第１光源から出射された第１光ビームは、対物レンズを介して、光ディスクの複数の記録層のうち一の記録層（つまり、記録又は再生される所望の記録層）上に照射される。他方、第２光源から出射された第２光ビームは、対物レンズを介して、光ディスクのガイド層上に照射される。このように、当該情報記録再生装置では、同一の対物レンズを介して、第１光ビーム及び第２光ビームが夫々光ディスクに導かれる。
【００１８】
例えば倍率変換素子等である調整手段は、第２光源と対物レンズとの間の第２光ビームの光路上に配置されている。該調整手段は、光ディスクにおける第２光ビームの光軸方向の集光位置を調整可能に構成されている。
【００１９】
例えばメモリ、プロセッサ等を備えてなる制御手段は、第１光源に係る光パワーが変更される際に、該第１光源の温度変化に伴う光ディスクの一の記録層上における第１光ビームのスポットの変化が抑制されるように対物レンズの光軸方向の位置を制御すると共に、該対物レンズの光軸方向の位置が制御されることに起因する光ディスクのガイド層上における第２光ビームのスポットの変化が抑制されるように調整手段を制御する。
【００２０】
例えば第１光源に係る光パワーが、再生用の光パワーから記録用の光パワーに変更された場合、上述の如く、色収差が発生し、一の記録層上における第１光ビームのスポットがデフォーカスしてしまう。加えて、第１光ビームを一の記録層上に適切に集光させるために、対物レンズの光軸方向の位置のみを調整すると、該対物レンズを通過する第２光ビームに影響を与えてしまう。
【００２１】
しかるに本実施形態では、第２光源と対物レンズとの間の第２光ビームの光路上に調整手段が配置されている。そして、制御手段により、第１光ビームを一の記録層上に適切に集光させるために、対物レンズの光軸方向の位置が制御されると共に、第２光ビームをガイド層上に適切に集光させるために、調整手段が制御される。この結果、第２光ビームをガイド層上に適切に集光させつつ、第１光ビームに係る色収差を低減することができる。
【００２２】
尚、第１光源の温度変化に伴う波長変化に起因する軸上色収差量は、使用される光源及び対物レンズによって一意に決定される。このため、色収差を低減するための対物レンズの制御量を予め求めることができる。従って、調整手段に係る制御量も予め求めることができる。
【００２３】
具体的には、第１光源の発振波長変化をΔλ［ｎｍ／℃］、対物レンズの軸上色収差をΔδ［μｍ／ｎｍ］、再生用の光パワーから記録用の光パワーへ変更した際の第１光源の温度変化をΔＴ［℃］とすると、第１光ビームのフォーカス位置の変化量ｙ１［μｍ］は、次式のように表わすことができる。
【００２４】
ｙ１＝Δδ／Δλ・ΔＴ・・・・・（１）
ここで、ΔＴは、例えば実験により予め測定可能である。また、上述の如く、Δλ及びΔδは、使用される光源及び対物レンズによって一意に決定される。
【００２５】
また、対物レンズの位置が変化しない場合の、第２光ビームのフォーカス位置の変化量ｙ２［μｍ］は、調整手段に係る補正量をｘ［ｍｍ］とすると、次式のように表わすことができる。尚、係数ａ及びｂは、第２光ビームの光学系により一意に決定される定数である。
【００２６】
ｙ２＝ａ・ｘ＋ｂ・・・・・（２）
上記変化量ｙ１が、色収差を低減するための対物レンズの制御量に相当する。第２光ビームをガイド層上に適切に集光させるためには、変化量ｙ１と変化量ｙ２とが等しくなればよい。従って、調整手段に係る補正量ｘ（制御量に相当）は、上記式（１）及び（２）から、次式のように表わすことができる。
【００２７】
ｘ＝Δδ／Δλ・ΔＴ−ｂ・・・・・（３）
光ディスクの複数の記録層各々における記録用の光パワーが決定されれば、上記式（３）より調整手段に係る補正量ｘも決定される。例えば、複数の記録層各々について、調整手段に係る補正量ｘを予め求めて、例えば制御手段のメモリ等に格納しておけば、比較的容易に調整手段を制御することができる。
【００２８】
本実施形態に係る情報記録再生装置の一態様では、前記制御手段は、前記第１光源に係る光パワーが変更される前から、前記第１光源の温度変化に伴う前記対物レンズの前記光軸方向の位置の変化量を推定して、前記推定された変化量に起因する前記ガイド層上における前記第２光ビームのスポットの変化が抑制されるように前記調整手段を制御する。
【００２９】
上述の如く、調整手段に係る制御量は予め求めることができるので、第１光源に係る光パワーが変更する前から調整手段を制御することができる。このように構成すれば、調整手段の、例えば機械的な応答遅れの影響を低減することができ、実用上非常に有利である。
【００３０】
本実施形態に係る情報記録再生装置の他の態様では、前記調整手段は、倍率変換素子であり、前記制御手段は、前記第１光源に係る光パワーの変更と同期して、前記第１光源の温度変化に伴う前記対物レンズの前記光軸方向の位置の変化量に起因する前記ガイド層上における前記第２光ビームのスポットの変化が抑制されるように前記調整手段に係る倍率を変更する。
【００３１】
調整手段としての倍率変換素子の機械的応答が比較的早いのであれば、第１光源に係る光パワーの変更と同期して、該倍率変換素子に係る倍率が変更されることが望ましい。このように構成すれば、例えば第１光源に係る光パワーが変更されるまでは好適な再生が可能であり、且つ、第１光源に係る光パワーが変更された後は直ちに記録動作に移行することができる。
【００３２】
或いは、本実施形態に係る情報記録再生装置の他の態様では、前記調整手段は、倍率変換素子であり、前記制御手段は、前記第１光源に係る光パワーが変更される前から、前記第１光源の温度変化に伴う前記対物レンズの前記光軸方向の位置の変化量を推定して、前記推定された変化量に起因する前記ガイド層上における前記第２光ビームのスポットの変化が抑制されるように前記調整手段に係る倍率を徐々に変更する。
【００３３】
例えばステッピングモータ等により、調整手段としての倍率変換素子のレンズ間隔が調整される場合には、該レンズ間隔の調整にある程度時間がかかる。そこで、本態様のように、第１光源に係る光パワーが変更される前から、倍率変換素子に係る倍率が変更されることにより、第１光源に係る光パワーの変更後直ちに記録動作に移行することができる。
【００３４】
（情報記録再生方法）
実施形態に係る情報記録再生方法は、ガイドトラックが形成されたガイド層と、該ガイド層の上に積層された複数の記録層とを有する光ディスクに情報を記録し、又は記録された情報を再生する情報記録再生装置における情報記録再生方法である。該情報記録再生装置は、第１光源、第２光源、対物レンズ及び調整手段を備えて構成されている。
【００３５】
情報記録再生方法の制御工程では、第１光源に係る光パワーが変更される際に、該第１光源の温度変化に伴う複数の記録層のうち一の記録層上における第１光ビームのスポットの変化が抑制されるように対物レンズの光軸方向の位置を制御すると共に、該対物レンズの光軸方向の位置が制御されることに起因するガイド層上における第２光ビームのスポットの変化が抑制されるように調整手段が制御される。
【００３６】
実施形態に係る情報記録再生方法によれば、上述した実施形態に係る情報記録再生装置と同様に、２つの光源を備え、ガイド層分離型の光ディスクに情報を記録又は記録された情報を再生する情報記録再生装置における色収差を低減することができる。
【００３７】
尚、実施形態に係る情報記録再生方法においても、上述した実施形態に係る情報記録再生装置の各種態様と同様の各種態様を採ることができる。
【実施例】
【００３８】
本発明の情報記録再生装置に係る実施例を、図面に基づいて説明する。以下の実施例では、本発明の情報記録再生装置の一例として、光学ドライブ装置を挙げる。
【００３９】
＜第１実施例＞
本発明の情報記録再生装置に係る第１実施例について、図１乃至図４を参照して説明する。図１は、第１実施例に係る光学ドライブ装置の構成を示すブロック図である。
【００４０】
（光学ドライブの構成）
図１において、本実施例の光学ドライブ装置１は、光ディスク１０と、記録再生光学系ブロック２０と、ガイド光学系ブロック３０と、共用光学系ブロック４０と、信号処理ブロック５０と、スピンドルモータ６０とを備えている。
【００４１】
光ディスク１０は、１つのガイド層１１と、４つの記録層１２（具体的には、第１記録層１２＿Ｌ０、第２記録層１２＿Ｌ１、第３記録層１２＿Ｌ２及び第４記録層１２＿Ｌ３）とを備えている。第１記録層１２＿Ｌ０、第２記録層１２＿Ｌ１、第３記録層１２＿Ｌ２及び第４記録層１２＿Ｌ３は、ガイド層１１側から見て、この順に積層されている。ガイド層１１は、光ビームＬＢ１及び光ビームＬＢ２の入射側から見て、４つの記録層１２よりも更に奥側に積層されている。
【００４２】
ガイド層１１には、トラッキング制御を行うためのガイドトラックが予め形成されている。ガイド用の光ビームＬＢ２がガイドトラックに照射されることで、トラッキング制御が行われる。また、ガイドトラックの一部（例えば、ガイド層１１の最内周に位置するガイドトラック）には、ディスク情報が記録されていてもよい。ディスク情報には、例えば、光ディスク１０の記録条件や、光ディスク１０の種類や、記録層１２の数や、記録層１２同士の間の間隔や、その他の光ディスク１０に固有の情報や、アドレス情報等が含まれていてもよい。
【００４３】
尚、光ディスク１０が備える記録層１２の数は、図１に示す「４つ」に限定されることはない。つまり、光ディスク１０は、１つの記録層１２のみを備えていてもよいし、２つの記録層１２を備えていてもよいし、５つ以上の記録層１２を備えていてもよい。
【００４４】
記録再生光学系ブロック２０は、光源２１と、コリメータレンズ２２と、光検出器２３と、マルチレンズ２４と、ビームスプリッタ２５と、収差補正素子２６とを備えている。また、共用光学系ブロック４０は、合成プリズム４１と、開口制限素子４２と、１／４波長板４３と、対物レンズ４４と、フォーカスアクチュエータ４５と、トラッキングアクチュエータ４６とを備えている。
【００４５】
光源２１は、「第１光源」の一具体例であって、記録層１２に対してデータを記録するための又は記録層１２に記録されたデータを再生するための光ビームＬＢ１（つまり、記録再生用の光ビームＬＢ１であって、「第１光ビーム」の一具体例）を出射するレーザ素子である。光源２１は、光ビームＬＢ１として、例えば波長４０５ｎｍの光ビームを照射してもよい。尚、光源２１から出射される光ビームＬＢ１は、ビームスプリッタ２５の分離面に対してｐ偏光となるように調整されていることが好ましい。
【００４６】
コリメータレンズ２２は、光源２１から出射された光ビームＬＢ１を平行光に変換するレンズ素子である。コリメータレンズ２２は、平行光に変換した光ビームＬＢ１を、ビームスプリッタ２５に供給する。
【００４７】
ビームスプリッタ２５は、例えば偏光ビームスプリッタ（ＰＢＳ）である。ビームスプリッタ２５は、コリメータレンズ２２から供給される光ビームＬＢ１の入射面に対して４５度の分離面を有している。ビームスプリッタ２５は、コリメータレンズ２２から供給されるｐ偏光の光ビームＬＢ１を、分離面をそのまま通過させる。その結果、ビームスプリッタ２５は、分離面を通過した光ビームＬＢ２を、収差補正素子２６に供給する。
【００４８】
収差補正素子２６は、ケプラー型のエキスパンダレンズを構成する第１レンズ２６１及び第２レンズ２６２を含んでいる。第１レンズ２６１は、アクチュエータ２６３によって、光ビームＬＢ２の光軸方向（図１中左右の方向）に沿って移動するように駆動される。
【００４９】
初期状態では、平行光で入射した光ビームＬＢ１が平行光のまま出射するように、第１レンズ２６１と第２レンズ２６２との間の間隔が調整されている。第１レンズ２６１が光ビームＬＢ２の光軸方向に沿って移動することで、出射する光ビームＬＢ２が拡散光や収束光へと変化する。その結果、収差補正素子２６は、対物レンズ４４で集光した光ビームＬＢ２に対して球面収差を与えることができる。
【００５０】
従って、例えば、光ディスク１０の表面から記録層１２までの距離が変化することで生ずる記録層１２毎の球面収差が、収差補正素子２６が与える球面収差によって打ち消されることにより補正される。尚、収差補正素子２６として、ケプラー型のエキスパンダレンズに代えて、例えばガリレオ型のエキスパンダレンズや液晶素子等が用いられてもよい。
【００５１】
合成プリズム４１は、合成面の反射・透過特性が、当該合成面に入射する光ビームの波長によって異なる光学素子である。例えば、合成プリズム４１は、４０５ｎｍ付近の波長の光ビーム（つまり、記録再生用の光ビームＬＢ１）を合成面で反射し、６６０ｎｍ付近の波長の光ビーム（つまり、後述のガイド用の光ビームＬＢ２）を合成面で透過させる特性を有している。
【００５２】
このような合成プリズム４１として、例えば、ダイクロイックプリズムが用いられる。この合成プリズム４１により、収差補正素子２６から供給される光ビームＬＢ１は反射する。その結果、合成プリズム４１は、光ビームＬＢ２を光ディスク１０の方向に向けて供給する。
【００５３】
開口制限素子４２は、合成プリズム４１と対物レンズ４４との間に配置される光学素子である。開口制限素子４２は、記録再生用の光ビームＬＢ２に対して何ら作用することはない。一方で、開口制限素子４２は、ガイド用の光ビームＬＢ２の開口を制限する。
【００５４】
１／４波長板４３は、合成プリズム４１と対物レンズ４４との間に配置される光学素子である。１／４波長板４３は、光ビームＬＢ１及び光ビームＬＢ２の偏光状態を変化させる光学素子である。具体的には、光ビームＬＢ１及び光ビームＬＢ２は、光ディスク１０に向かう往路で１／４波長板４３を１回通過し且つ光ディスク１０から戻る復路で１／４波長板４３を更にもう１回通過する。この１／４波長板４３の２回の通過により、光ビームＬＢ１及び光ビームＬＢ２の偏光の向きが９０度変化する。その結果、１／４波長板４３を通過する前の段階ではｐ偏光であった光ビームＬＢ１及び光ビームＬＢ２が、１／４波長板４３を２回通過した段階でｓ偏光に変化する。
【００５５】
尚、１／４波長板４３は、広帯域に対応していることが好ましい。つまり、１／４波長板４３は、少なくとも、光ビームＬＢ１及び光ビームＬＢ２の双方に対して１／４波長板として作用することが好ましい。
【００５６】
対物レンズ４４は、例えばブルーレイディスク（登録商標）の光学系に用いられる対物レンズと同様のレンズが用いられる。具体的には、対物レンズ４４は、開口数ＮＡが０．８５に設定されており、且つ厚みが０．１ｍｍのカバー層を有する光ディスク１０に最適化されている。
【００５７】
具体的には、収差補正素子２６の第１レンズ２６１と第２レンズ２６２との間の間隔を初期状態の間隔に設定し且つ対物レンズ４４と光ディスク１０との間の距離（作動距離）を最適な値ＷＤ０に設定したときに、対物レンズ４４は、光ディスク１０の表面から０．１ｍｍの深さにある記録層１２に対して最適な集光スポットを形成することができる。
【００５８】
また、対物レンズ４４は、光ビームＬＢ１及び光ビームＬＢ２の光軸方向（図１の上下方向）に沿った移動を行うためのフォーカスアクチュエータ４５と、光ビームＬＢ１及び光ビームＬＢ２の光軸に垂直な方向（図１の左右方向）に沿った移動を行うためのトラッキングアクチュエータ４６とを更に備えている。
【００５９】
フォーカスアクチュエータ４５の動作は、信号処理ブロック５０が備えるフォーカス制御部５２によって制御される。トラッキングアクチュエータ４６の動作は、信号処理ブロック５０が備えるトラッキング制御部５６によって制御される。
【００６０】
光ディスク１０のいずれかの記録層１２で反射した記録再生用の光ビームＬＢ１（つまり、光ビームＬＢ１の戻り光）は、対物レンズ４４、１／４波長板４３、開口制限素子４２、合成プリズム４１及び収差補正素子２６を介して、ビームスプリッタ２５へと戻る。
【００６１】
光ビームＬＢ２の戻り光は、１／４波長板４３の作用によってｓ偏光に変化している。この場合、ビームスプリッタ２５は、その分離面で、ｓ偏光の光ビームＬＢ１の戻り光を９０度の角度で反射する。その結果、ビームスプリッタ２５は、光ビームＬＢ１の戻り光を、マルチレンズ２４に供給する。
【００６２】
マルチレンズ２４は、光ビームＬＢ１の戻り光を光検出器２３の受光面に集光させる。マルチレンズ２４は、一方の面が球面で且つ他方の面がシリンドリカル面となる光学素子であり、非点収差法のフォーカスサーボを行う際に用いられる。
【００６３】
光検出器２３は、例えば４分割の受光面を有している。光検出器２３は、分割された受光面毎に、受光強度に応じたレベルの電圧信号を生成する。光検出器２３が生成した電圧信号は、信号処理ブロック５０が備えるフォーカスエラー生成部５１及びＲＦ信号生成部５３に供給される。フォーカスエラー生成部５１は、光検出器２３から供給される電圧信号から、ＦＥ（Focus Error：フォーカスエラー）信号を生成する。ＲＦ信号生成部５３は、光検出器２３から供給される電圧信号から、ＲＦ（Radio Frequency）信号を生成する。
【００６４】
一方で、ガイド光学系ブロック３０は、光源３１と、コリメータレンズ３２と、光検出器３３と、マルチレンズ３４と、ビームスプリッタ３５と、倍率変換素子３６とを備えている。
【００６５】
光源３１は、「第２光源」の一具体例であって、ガイド層１１のガイドトラックに集光される光ビームＬＢ２（つまり、トラッキング用の光ビームＬＢ２であって、「第２光ビーム」の一具体例）を出射するレーザ素子である。光源３１は、光ビームＬＢ２として、例えば波長６６０ｎｍの光ビームを照射してもよい。尚、光源３１から出射される光ビームＬＢ２は、ビームスプリッタ３５の分離面に対してｐ偏光となるように調整されていることが好ましい。
【００６６】
コリメータレンズ３２は、光源３１から出射された光ビームＬＢ２を平行光に変換するレンズ素子である。コリメータレンズ３２は、平行光に変換した光ビームＬＢ２を、ビームスプリッタ３５に供給する。
【００６７】
ビームスプリッタ３５は、例えば偏光ビームスプリッタ（ＰＢＳ）である。ビームスプリッタ３５は、コリメータレンズ３２からの光ビームＬＢ２の入射面に対して４５度の分離面を有している。ビームスプリッタ３５は、コリメータレンズ３２から供給されるｐ偏光の光ビームＬＢ２を、分離面をそのまま通過させる。その結果、ビームスプリッタ３５は、分離面を通過した光ビームＬＢ２を、倍率変換素子３６に供給する。
【００６８】
倍率変換素子３６は、「調整手段」の一具体例であって、トラッキング用の光ビームＬＢ２の光軸方向の集光スポットの位置（つまり、焦点位置）を移動させるための光学素子である。倍率変換素子３６は、「レンズに入射する光ビームの拡散具合を変化させる（言い換えれば、光学倍率を変化させる）と集光スポットの位置が光軸上で変化する」という性質を利用している。
【００６９】
倍率変換素子３６は、記録再生光学系ブロック２０の収差補正素子２６と同様に、ケプラー型のエキスパンダレンズを構成する第１レンズ３６１及び第２レンズ３６２を含んでいる。第１レンズ３６１は、アクチュエータ３６３によって、光ビームＬＢ２の光軸方向（図１中上下の方向）に沿って移動するように駆動される。
【００７０】
第１レンズ３６１が光ビームＬＢ２の光軸方向に沿って移動することで、出射する光ビームＬＢ２が拡散光や収束光へと変化する。その結果、倍率変換素子３６は、光ビームＬＢ２の光軸方向の集光スポットの位置（つまり、焦点位置）を移動させることができる。尚、倍率変換素子３６として、ケプラー型のエキスパンダレンズに代えて、例えばガリレオ型のエキスパンダレンズや液晶素子等が用いられてもよい。
【００７１】
合成プリズム４１は、上述したように６６０ｎｍ付近の波長の光ビーム（つまり、後述のガイド用の光ビームＬＢ２）を合成面で透過させる。その結果、合成プリズム４１は、光ビームＬＢ２を光ディスク１０の方向に向けて供給する。
【００７２】
開口制限素子４２は、光ビームＬＢ２に対して、開口径を所定の大きさＤ０に制限する。また、１／４波長板４３は、光ビームＬＢ２に対して、光ビームＬＢ１と同様に作用する。
【００７３】
対物レンズ４４は、１／４波長板４３から供給される光ビームＬＢ２に対しては、光ディスク１０の内部の位置に集光スポットを形成する。この集光スポットの位置は、上述したように、倍率変換素子３６により、光ビームＬＢ２の光軸方向に沿って調整される。従って、作動距離ＷＤ０の状態でガイド層１１の深さに集光スポットが形成されるように、第１レンズ３６１が移動させられる。
【００７４】
但し、本実施例では、後述するように、倍率変換素子３６の駆動状態（具体的には、第１レンズ３６１の駆動状態）は、収差補正素子２６の駆動状態（具体的には、第１レンズ２６１の駆動状態）に追従するように制御される。尚、収差補正素子２６及び倍率変換素子３６の駆動の詳細な態様については、後に詳述する（図２以降参照）。
【００７５】
光ディスク１０のガイド層１１で反射したトラッキング用の光ビームＬＢ２（つまり、光ビームＬＢ２の戻り光）は、対物レンズ４４、１／４波長板４３、開口制限素子４２、合成プリズム４１及び倍率変換素子３６を介して、ビームスプリッタ３５へと戻る。
【００７６】
光ビームＬＢ２の戻り光は、１／４波長板４３の作用によってｓ偏光に変化している。この場合、ビームスプリッタ３５は、その分離面で、ｓ偏光の光ビームＬＢ２の戻り光を９０度の角度で反射する。その結果、ビームスプリッタ３５は、光ビームＬＢ２の戻り光を、マルチレンズ３４に供給する。
【００７７】
マルチレンズ３４は、光ビームＬＢ２の戻り光を光検出器３３の受光面に集光させる。
【００７８】
光検出器３３は、例えば４分割の受光面を有している。光検出器３３は、分割された受光面毎に、受光強度に応じたレベルの電圧信号を生成する。光検出器３３が生成した電圧信号は、信号処理ブロック５０が備えるトラッキングエラー生成部５５に供給される。トラッキングエラー生成部５５は、光検出器３３から供給される電圧信号から、ＴＥ（Tracking Error：トラッキングエラー）信号を生成する。
【００７９】
信号処理ブロック５０は、フォーカスエラー生成部５１と、フォーカス制御部５２と、ＲＦ信号生成部５３と、球面収差補正部５４と、トラッキングエラー生成部５５と、トラッキング制御部５６とを備えている。
【００８０】
フォーカスエラー生成部５１は、光検出器２３から供給される電圧信号から、ＦＥ信号を生成する。フォーカスエラー生成部５１は、生成したＦＥ信号をフォーカス制御部５２に供給する。
【００８１】
フォーカス制御部５２は、フォーカスエラー生成部５１から供給されるＦＥ信号に応じて、フォーカスアクチュエータ４５を動作させる。
【００８２】
ＲＦ信号生成部５３は、光検出器２３から供給される電圧信号から、ＲＦ信号を生成する。ＲＦ信号生成部５３は、生成したＲＦ信号を素子制御部５４に供給する。
【００８３】
球面収差補正部５４は、収差補正素子２６の動作を制御すると共に、倍率変換素子３６の動作を制御する。尚、本実施例に係る「フォーカス制御部５２」及び「球面収差補正部５４」は、本発明に係る「制御手段」の一具体例を構成する。
【００８４】
トラッキングエラー生成部５５は、光検出器３３から供給される電圧信号から、ＴＥ信号を生成する。トラッキングエラー生成部５５は、生成したＴＥ信号をトラッキング制御部５６及び素子制御部５４に供給する。
【００８５】
トラッキング制御部５６は、トラッキングエラー生成部５５から供給されるＴＥ信号に応じて、トラッキングアクチュエータ４６を動作させる。
【００８６】
スピンドルモータ６０は、光ディスク１０をクランプすると共に、光ディスク１０を回転駆動する。
【００８７】
（記録動作）
次に、上述の如く構成された光学ドライブ装置１の記録動作について説明する。
【００８８】
フォーカス制御部５２及び球面収差補正部５４により、複数の記録層１２のうち所望の記録層上に、光ビームＬＢ１の集光スポットがくるように、且つ、ガイド層１１上に光ビームＬＢ２の集光スポットがくるように、収差補正素子２６、倍率変換素子３６及びフォーカスアクチュエータ４５が夫々制御される。また、トラッキング制御部５６により、光ビームＬＢ２の集光スポットがガイド層１１のガイドトラックを追従するように、トラッキングアクチュエータ４６が制御される。
【００８９】
尚、収差補正手段２６の調整方法としては、例えば所望の記録層の深さに応じたレンズ間隔に係る情報を、球面収差補正部５４のメモリに格納しておき、該格納された情報に基づいて、球面収差補正部５４が収差補正手段２６を制御すればよい。或いは、所定の試し書きエリアに試し書きを行い、試し書きされたピット列の再生信号の振幅が最大となるように、球面収差補正部５４が収差補正手段２６を制御すればよい。また、倍率変換素子３６の調整方法としては、例えば取得されるトラッキングエラー信号の品質が最良となるように、球面収差補正部５４が倍率変換素子３６を制御すればよい。
【００９０】
ここで、光ビームＬＢ１の集光スポットと光ビームＬＢ２の集光スポットとは同軸上にあるため、この状態で光源２１の記録信号に応じた変調を行うことで、所望の記録層にガイドトラックに沿った情報ピット列を記録することが可能である。
【００９１】
ところで、所望の記録層に情報の記録が開始される際、光源２１に係る出射出力（即ち、光ビームＬＢ１のパワー）が低出力（即ち、再生出力）から高出力（即ち、記録出力）に切り替えられる。すると、光源２１の温度上昇に伴い発振波長が長波長側に変化する。この結果、何らの対策も採らなければ、光ビームＬＢ１の集光スポットの位置ずれ（軸上色収差）が発生してしまう。
【００９２】
本実施例では、フォーカス制御部５２により、光ビームＬＢ１の戻り光に起因する光検出器２３から供給される電圧信号から生成されたＦＥ信号に基づいて、フォーカスアクチュエータ４５が制御される（図１参照）。このため、生成されたＦＥ信号に基づいて、軸上色収差を低減するようにフォーカスアクチュエータ４５が制御されると、対物レンズ４４を通過する光ビームＬＢ２の集光スポットの位置までもが変化してしまう。
【００９３】
そこで本実施例では、軸上色収差を低減するようにフォーカスアクチュエータ４５が制御される際に、球面収差補正部５４により、光ビームＬＢ２の集光スポット位置がガイド層１１上にくるように、倍率変換素子３６が制御される。
【００９４】
具体的には、先ず、記録が開始される前に（即ち、光源２１の出射出力が高出力に切り替えられる前に）、球面収差補正部５４は、光ビームＬＢ１に係る軸上色収差に起因する対物レンズ４４の変動量を見込んで、光ビームＬＢ２の集光スポットの位置が変化するように倍率変換素子３６を制御する。この結果、光ビームＬＢ２の集光スポット位置は、図２（ａ）に示す位置から図２（ｂ）に示す位置へと変化する。
【００９５】
次に、光源２１の出射出力が高出力に切り替えられると、フォーカス制御部５２により光ビームＬＢ１に係る軸上色収差を低減するようにフォーカスアクチュエータ４５が制御される。すると、図２（ｃ）に示すように、光ビームＬＢ１の集光スポットが所望の記録層上に好適に位置すると共に、光ビームＬＢ２の集光スポットがガイド層１１上に好適に位置する。この結果、記録開始時からガイド層１１のトラッキングエラー信号及びアドレス情報を最適に得ることが可能となる。
【００９６】
本実施例に係る記録開始動作について、図３及び図４を参照して説明を加える。図３は、第１実施例に係る記録開始動作の概念を示す概念図である。図４は、第１実施例に係る記録開始動作を示すフローチャートである。
【００９７】
記録開始動作として、先ず、ガイド層１１のアドレス情報に基づいてサーチ目標アドレスに、光ビームＬＢ２の集光スポットが移動するように、トラッキング制御部５６によりトラッキングアクチュエータ４６が制御される（ステップＳ１０１）。
【００９８】
次に、サーチ目標アドレスに達した後、トラッキング制御部５６は、アドレス情報に代えて、当該光ディスク装置１が有する内挿カウントを利用して内部カウントを開始する（ステップＳ１０２）。これは、後述するように、倍率変換素子３６の倍率が記録開始前から変更されることに伴い、アドレス情報が適切に取得されない可能性を考慮しての制御である。
【００９９】
続いて、トラッキング制御部５６により内部カウントの値が所定量だけ増加されると（ステップＳ１０３）、球面収差補正部５４は、内部カウントの値に応じて、倍率変換素子３６の倍率を、再生時における倍率補正目標値から記録時における倍率補正目標値へと徐々に変更する（ステップＳ１０４）（図３における“補正時間”参照）。
【０１００】
これは、例えばステッピングモータ等であるアクチュエータ３６３により、倍率変換素子３６の第１レンズ３６１及び第２レンズ３６２間の距離が変更され該倍率変換素子３６の倍率が変更されることに起因する処理である。つまり、アクチュエータ３６３に係る機械的な応答により、倍率変換素子３６の倍率が変更されるまでには、ある程度時間がかかる。このため、記録開始アドレス（図３参照）に到達した際に記録を開始するためには、記録が開始される前からアクチュエータ３６３を制御する必要がある。
【０１０１】
次に、内部カウントの値が目標値（即ち、記録開始アドレスに相当する値）に達したか否かが判定される（ステップＳ１０５）。内部カウントの値が目標値に達していないと判定された場合（ステップＳ１０５：Ｎｏ）、ステップＳ１０３の処理が実施される。
【０１０２】
内部カウントの値が目標値に達したと判定された場合（ステップＳ１０５：Ｙｅｓ）、光源２１の出射出力が高出力に切り替えられると共に、光ビームＬＢ１の集光スポットが所望の記録層上に好適に位置するように、フォーカス制御部５２によりフォーカスアクチュエータ４５が制御される。続いて、所望の記録層への情報の記録が開始される（ステップＳ１０６）。この際、内部カウントからアドレス情報へ再び切り替えられる（図３参照）。
【０１０３】
＜第２実施例＞
本発明の情報記録再生装置に係る第２実施例について、図５を参照して説明する。第２実施例では、倍率変換素子３６の倍率の変更方法が異なる以外は、第１実施例の構成と同様であるので、第１実施例と重複する説明を適宜省略すると共に、図面上における同一箇所には同一符号を付して示し、基本的に異なる部分についてのみ、図５を参照して説明する。図５は、図３と同趣旨の、第２実施例に係る記録開始動作の概念を示す概念図である。
【０１０４】
本実施例では、倍率変換素子３６の倍率が即時に変更可能であることを前提としている。このため、本実施例では、図５に示すように、アドレス情報が記録開始アドレスに達した際に、倍率変換素子３６の倍率が、再生時における倍率補正目標値から記録時における倍率補正目標値へ変更される。
【０１０５】
本発明は、上述した実施形態に限られるものではなく、特許請求の範囲及び明細書全体から読み取れる発明の要旨或いは思想に反しない範囲で適宜変更可能であり、そのような変更を伴う情報記録再生装置及び方法もまた本発明の技術的範囲に含まれるものである。
【符号の説明】
【０１０６】
１…光学ドライブ装置、１０…光ディスク、１１…ガイド層、１２…記録層、２０…記録再生系ブロック、２１、３１…光源、２６…収差補正素子、３０…ガイド系ブロック、３６…倍率変換素子、５０…信号処理ブロック、５２…フォーカス制御部、５４…球面収差補正部
【図１】
2015011727.tif 000003
【図２】
2015011727.tif 000004
【図３】
2015011727.tif 000005
【図４】
2015011727.tif 000006
【図５】
2015011727.tif 000007